(57)【要約】【課題】両足を肩幅に開いた状態で前傾且つ前屈の姿勢（基本姿勢）および当該基本姿勢から動作を行う運動性能に優れ、見栄えの良いズボンを提供する。【解決手段】このズボン１０は、前身頃１４Ｌ，１４Ｒと、前身頃１４Ｌ，１４Ｒと縫着される後ろ身頃１６Ｌ，１６Ｒと、立位姿勢で後ろ身頃の膝部分を曲げるために、後ろ身頃の後ろ折線４６の位置に形成される切替えライン１８Ｌとを含む。後ろ身頃は、切替え線および後ろ身頃の脇線２０Ｌ，２０Ｒの間に形成される第１の後ろ身頃片２２Ｌ，２２Ｒと、切替え線および後ろ身頃の内股線２４Ｌ，２４Ｒの間に形成される第２の後ろ身頃片２６Ｌ，２６Ｒとを含む。第１の後ろ身頃片，第２の後ろ身頃片は、当該切替えラインで互いに縫着されると、前身頃側に屈曲して形成され、股上部が前傾姿勢となり、且つ、股下部が前屈姿勢となるように形成される。【選択図】図１
2014029041.tif 000002
【特許請求の範囲】
【請求項１】
前身頃、
前記前身頃と縫着される後ろ身頃、および
立位姿勢で前記後ろ身頃の膝部分を曲げるために、前記後ろ身頃の後ろ折線の位置に形成される切替えラインを含み、
前記後ろ身頃は、前記切替えラインと前記後ろ身頃の脇線との間に形成される第１の後ろ身頃片と、前記切替えラインと前記後ろ身頃の内股線との間に形成される第２の後ろ身頃片とを含み、前記第１の後ろ身頃片および前記第２の後ろ身頃片は、前記切替えラインで互いに縫着されたときに、前記前身頃側に屈曲して形成され、股上部が前傾姿勢となり、且つ、股下部が前屈姿勢となるように形成されることを特徴とする、ズボン。
【請求項２】
前記後ろ身頃のパターンの基本線となる渡り線、膝線および前記切替えラインとなる接ぎラインを有し、前記膝線の下側で、裾線に至る膝下部位が互いに交差する膝下部が形成された前記第１の後ろ身頃片および前記第２の後ろ身頃片のパターンを作製し、前記パターンにより生地を裁断し、前記接ぎラインで前記パターンを縫製することで、前記膝下部が前屈態様となる前記第１の後ろ身頃片および前記第２の後ろ身頃片が形成されることを特徴とする、請求項１に記載のズボン。
【請求項３】
前記前身頃および前記後ろ身頃の膝線は、身体の膝よりも高い位置となるように設定され、前記前身頃側に尻縫目が傾倒し、且つ、前立ておよび内股が前方に傾倒して形成されていることを特徴とする、請求項１または請求項２に記載のズボン。
【発明の詳細な説明】
【技術分野】
【０００１】
本発明は、ズボンに関し、特に、両膝を曲げる運動を必要とするスポーツおよび作業をするときに着用するスポーツウェア、カジュアルウェアおよび作業用ユニホーム等に用いられて好適なズボンに関する。
【背景技術】
【０００２】
本発明の背景となる従来技術としては、例えば、ズボンの前身頃の脇線および内股線を膝付近で外側に０．５〜２ｃｍ膨らませて、膝付近の巾を広げて、前記前身頃の脇線および内股線と後身頃の脇線および内股線とが縫合わせられた構成のズボンがある（例えば、特許文献１参照。）。この従来のズボンでは、プレスした際に、前身頃側のクリースラインは、膝線に対応する膝の箇所で外側に膨んだ膨み部となって、この部分が膝のゆとり分となるため、膝の屈伸がし易くあるいは前屈みの姿勢がとり易い、としている。
【０００３】
また、本発明の背景となる他の従来技術としては、例えば、運動に必要なゆとりを有し、膝を軽く曲げた状態の身体の曲線に近い形状に立体的に裁断縫製された構成のズボンがある（例えば、特許文献２参照。）。この従来のズボンでは、足の屈伸運動や歩行、走行の際にズボンが身体になじんで運動しやすいものである、としている。
【先行技術文献】
【特許文献】
【０００４】
【特許文献１】特許第３４８１５７７号公報
【特許文献２】特開２００２−６９７１３号公報
【発明の概要】
【発明が解決しようとする課題】
【０００５】
しかしながら、前者の従来技術によれば、ズボンの前身頃の膝付近の幅を広げて膝部分にゆとり部分を設けることにより、膝を曲げ易くしているものの、たとえばゴルフのアドレス状態の姿勢から次の運動動作（バックスイングからトップ、インパクト、フォロースルーおよびフィニッシュに至る一連の動作）を行うときのように、両足をたとえば肩幅に開いて身体を前傾させた状態で且つ両膝を曲げた状態の前屈姿勢（以下、「基本姿勢」という。）および当該基本姿勢から次の動作を行う運動性能については、何ら配慮されたものとはなっていない。
そのため、この従来のズボンでは、上記した基本姿勢および基本姿勢から次の動作を行う運動を行った場合、未だ、膝、大腿部および臀部（以下、単に、「ヒップ部」という。）に加わる抵抗（張力）を充分に解消することが困難で、窮屈な感じが生じるものとなっていた。
【０００６】
一方、後者の従来技術によれば、膝を軽く曲げた状態での足の屈伸運動や歩行、走行の際の着用感や運動性能は良好なものの、前者の従来技術と同様の問題点を有するものであった。
さらに、この従来技術によれば、足のほぼ正面にほぼ垂直に設けられた縫い合わせ線と、足の脇部に設けられた一対の縫い合わせ線と、内腿を股部の前側から膝の後にかけて斜めに設けられた縫い合わせ線とによって分割された４枚２組のパーツによりズボンが形成され、後ズボン部材の股上部と股下部の境界部分には、後ズボン部材から延長された襠部が内側前ズボン部材側につながるように一体に形成されている。しかも、内側前ズボン部材、外側前ズボン部材、脇部および後ズボン部材の形状は、それぞれ、着用状態を基準にして、ウエストがほぼ水平な直線で形成されている。
そのため、この従来のズボンでは、腹部周りがたとえば紙風船状の丸みを有するものとなって、スマート感に欠け、見栄えが悪く、スタイリッシュに着こなすには不具合を生ずるものであった。また、ズボンを構成するパターンの数も多く、その分、生産工程が多くなるので、生産効率の効率化および生産コストの低減化に支障を来たすものであった。
【０００７】
それゆえに、本発明の主たる目的は、両足を肩幅に開いた状態で前傾且つ前屈の姿勢（基本姿勢）および当該基本姿勢から動作を行う運動性能に優れ、見栄えの良いズボンを提供することである。
【課題を解決するための手段】
【０００８】
請求項１にかかる本発明のズボンは、前身頃と、前身頃と縫着される後ろ身頃と、立位姿勢で後ろ身頃の膝部分を曲げるために、後ろ身頃の後ろ折線（バック・クリーズ）の位置に形成される切替えラインとを含み、後ろ身頃は、切替えラインと後ろ身頃の脇線との間に形成される第１の後ろ身頃片および切替えラインと後ろ身頃の内股線との間に形成される第２の後ろ身頃片とを含み、第１の後ろ身頃片および第２の後ろ身頃片は、当該切替えラインで互いに縫着されたときに、前身頃側に屈曲して形成され、股上部は前傾姿勢となり、且つ、股下部は前屈姿勢となるように形成されることを特徴とする、ズボンである。
請求項１にかかる本発明のズボンによれば、上記した構成を有することによって、後ろ身頃の膝後ろ部分を後ろ折線に沿って前屈させ、前身頃の膝部分が前方に出る態様とすることが可能となる。この場合、後ろ折線は、膝後ろ部分のズボンのダブツキを解消する切替えラインとしての機能を有するため、このズボンの着用者が前屈姿勢をとる際の運動が阻害されることのないものとなっている。そして、切替えラインは、後ろ身頃の後ろ折線に沿った部位に形成されているため、後ろ身頃はシャープなシルエットラインを有する態様となっている。さらに、股上部が前傾姿勢で且つ股下部が前屈姿勢となるため、両足を肩幅に開いた状態で前傾且つ前屈の姿勢および当該基本姿勢から動作を行う運動性能に優れたものとなっている。
請求項２にかかる本発明のズボンは、請求項１にかかる発明に従属する発明であって、後ろ身頃のパターンの基本線となる渡り線、膝線および切替えラインとなる接ぎラインを有し、膝線の下側で、裾線に至る膝下部位が互いに交差する膝下部が形成された第１の後ろ身頃片および第２の後ろ身頃片のパターンを作製し、パターンにより生地を裁断し、接ぎラインでパターンを縫製することで、膝下部が前屈態様となる第１の後ろ身頃片および第２の後ろ身頃片が形成されることを特徴とする、ズボンである。
請求項２にかかる本発明のズボンによれば、上記した構成を有するため、第１の後ろ身頃片のパターンおよび第２の後ろ身頃片のパターンの膝下部の交差角度を調整することによって、適宜、膝後ろ部分を前屈させる前屈角度を調整することが可能となる。また、接ぎラインで第１の後ろ身頃片のパターンおよび第２の後ろ身頃片のパターンが縫着されると、当該縫着ラインは、後ろ折線を兼用する切替えラインとなるため、従来技術に比べて、特に、ズホンの膝下部分のシルエットがシャープな見栄えの良い態様となっている。
請求項３にかかる本発明のズボンは、請求項１または請求項２にかかる発明に従属する発明であって、前身頃側に尻縫目が傾倒し、且つ、前立ておよび内股が前方に傾倒して形成されていることを特徴とする、ズボンである。
請求項３にかかる本発明のズボンによれば、前身頃および後ろ身頃の膝線が、身体の膝よりも高い位置となるように設定されているため、このズボンの着用者が前傾姿勢で且つ前屈姿勢を行う際、前身頃には膝部周りのストレスが掛からず、膝の突っ張り感および引っ掛り感が解消されるものとなっている。また、前身頃側に尻縫目が傾倒し、且つ、前立ておよび内股が前方に傾倒して形成されているため、ヒップ位置を通常よりも後ろ身頃で高い位置に設定することが可能となり、身体の膝よりも高い上記膝線の位置設定との関係も相俟って、このズボンの着用者が足長に見える視覚効果を奏するものとなっている。
【発明の効果】
【０００９】
本発明のズボンによれば、両足を肩幅に開いた状態で前傾且つ前屈の姿勢（基本姿勢）および当該基本姿勢から動作を行う運動性能に優れ、見栄えが良い、という効果がある。
【００１０】
本発明の上述の目的、その他の目的、特徴および利点は、図面を参照して行う以下の発明を実施するための形態の説明から一層明らかとなろう。
【図面の簡単な説明】
【００１１】
【図１】本発明にかかるズボンの実施の形態の一例を示す図解図であって、（Ａ）はズボンを正面側から見た図解図であり、（Ｂ）はズボンを背面側から見た図解図であり、（Ｃ）はズボンを右側面側から見た図解図である。
【図２】本発明にかかるズボンの左半身を示す展開図解図である。
【図３】本発明にかかるズボンの着用状態を左側面側から見た状態の例を示す図解図であって、（Ａ）は、ズボンの着用者が膝を伸ばした立位姿勢にあるときの状態を示す図解図であり、（Ｂ）は、ズボンの着用者が身体を前傾姿勢で且つ両膝を曲げた前屈姿勢にあるときの状態を示す図解図である。
【発明を実施するための形態】
【００１２】
本発明にかかるズボンは、上記した基本姿勢および基本姿勢から動作を行う運動性能に優れ、見栄えの良いズボンを提供するという目的を、一般的なズボンと比べて、特に、後ろ身頃のパターン設計を工夫することによって実現した。すなわち、前身頃と、前身頃と縫着される後ろ身頃と、立位姿勢で後ろ身頃の膝部分を曲げるために、後ろ身頃の後ろ折線（バック・クリーズ）の位置に形成される切替えラインとを含み、後ろ身頃は、切替えラインと後ろ身頃の脇線との間に形成される第１の後ろ身頃片および切替えラインと後ろ身頃の内股線との間に形成される第２の後ろ身頃片とを含み、第１の後ろ身頃片および第２の後ろ身頃片は、当該切替えラインで互いに縫着されたときに、前身頃側に屈曲して形成され、前身頃および後ろ身頃の股上部は、前傾姿勢となり、且つ、前身頃および後ろ身頃の股下部は、前屈姿勢となるように形成されることによって、実現される。
【００１３】
図１は、本発明にかかるズボンの実施の形態の一例を示す図解図であって、（Ａ）は、ズボンを正面側から見た図解図であり、（Ｂ）は、ズボンを背面側から見た図解図であり、（Ｃ）は、ズボンを右側面側から見た図解図である。ズボンを左側面側から見た図解図は、図１の（Ｃ）と線対称になるため、図示は省略している。
この実施の形態にかかるズボン１０は、身頃部１２を含み、身頃部１２は、前身頃１４Ｌ，１４Ｒと、後ろ身頃１６Ｌ，１６Ｒとを含む。前身頃１４Ｌ，１４Ｒおよび後ろ身頃１６Ｌ，１６Ｒは、布，織物等の生地で形成されている。
後ろ身頃１６Ｌ，１６Ｒは、それぞれ、後ろ折線（バック・クリーズ）の位置に形成される切替えライン１８Ｌ，１８Ｒを有する。後ろ身頃１６Ｌ，１６Ｒは、それぞれ、切替えライン１８Ｌ，１８Ｒと後ろ身頃１６Ｌ，１６Ｒの脇線２０Ｌ，２０Ｒとの間に形成される第１の後ろ身頃片２２Ｌ，２２Ｒおよび切替えライン１８Ｌ，１８Ｒと後ろ身頃１６Ｌ，１６Ｒの内股線２４Ｌ，２４Ｒとの間に形成される第２の後ろ身頃片２６Ｌ，２６Ｒとで構成される。
【００１４】
また、前身頃１４Ｌ，１４Ｒ、切替えライン１８Ｌ，１８Ｒ、第１の後ろ身頃片２２Ｌ，２２Ｒおよび第２の後ろ身頃片２６Ｌ，２６Ｒの上端側には、前身頃１４Ｌ，１４Ｒから後ろ身頃１６Ｌ，１６Ｒ側斜め上に弧を描く湾曲したカーブベルトで構成されるウエスト部２８が配設されている。ウエスト部２８では、たとえば図１の（Ａ）に示すように、ベルト付け周りの寸法よりもベルト先周りの寸法を短くして、後述するヒップ部３６のヒップアップに対応させて、後ろ身頃１６Ｌ，１６Ｒが無理なくヒップ部３６を包み込むことが可能なように形成されている。
【００１５】
前身頃１４Ｌ，１４Ｒの股上部が前傾姿勢となるように、前立て３０および内股が前方に傾倒して形成されている。前立て３０は、たとえば図１の（Ｃ）に示すように、前方への傾斜角度θ１で傾倒されるように形成されている。この傾斜角度θ１は、１０°〜１８°の範囲に設定されるのが好ましく、１０°〜１６°の範囲に設定されるのがさらに好ましいものとなっている。この実施の形態では、内股の上端位置３２を通る垂直線ａ−ａと、当該垂直線ａ−ａに対して前方に傾斜している前立て３０の延長線ｂ−ｂとの間の角度を前立て３０の傾斜角度θ１としている。
【００１６】
さらに、後ろ身頃１６Ｌ，１６Ｒの股上部が前傾姿勢となるように、尻縫目３４が前身頃１４Ｌ，１４Ｒ側に傾倒して形成されている。尻縫目３４は、たとえば図１の（Ｃ）に示すように、ヒップ部３６のヒップアップ角度θ２が、１０°〜２５°の範囲に設定されるのが好ましく、１０°〜２０°の範囲に設定されるのがさらに好ましいものとなっている。この実施の形態では、身体の水平軸ｃ−ｃと、ウエスト部２８を構成するカーブベルトの弧に接する接線ｄとが交差する角度をヒップアップ角度θ２としている。そのため、このズボン１０では、たとえば図１の（Ｃ）に示すように、ヒップ部３６の位置が、後ろ身頃１６Ｌ，１６Ｒで、一般的なズボンよりも高い位置に設定されるものとなっている。この場合、後ろ身頃１６Ｌ，１６Ｒの分量を多く取るため、ヒップ部３６の両側、つまり、後ろ中心の両側の切替えライン１８Ｌ，１８Ｒでヒップ部３６の高さを出している。
【００１７】
また、身頃部１２の股下部は、前屈姿勢となるように、後ろ身頃１６Ｌ，１６Ｒの膝後ろ付近を中心に、第１の後ろ身頃片２２Ｌ，２２Ｒおよび第２の後ろ身頃片２６Ｌ，２６Ｒは、図１の（Ｃ）に示すように、前方に屈曲する屈曲角度θ３が、５°〜１５°の範囲に設定されるのが好ましく、５°〜１０°の範囲に設定されるのがさらに好ましいものとなっている。この実施の形態では、身体の前額軸（人体の左右方向の軸）ｅ−ｅと、切替えライン１８Ｌ，１８Ｒの膝後ろから裾下に延びる線分の延長線ｆ−ｆとの交差角度を屈曲角度θ３としている。この場合、身頃部１２の股下部において、前方向に身体の大腿部前部が位置するため、大腿部後ろ部側では、後ろ身頃１６Ｌ，１６Ｒの分量を前身頃１４Ｌ，１４Ｒよりも、その長さを長く、その幅を広く形成することによって、前身頃１４Ｌ，１４Ｒの突っ張り感を軽減させている。
【００１８】
図２は、本発明にかかるズボンの左半身を示す展開図解図である。ズボンを左側面側から見た図解図は、図１の（Ｃ）と線対称になるため、図示は省略している。ズボン１０の右半身（右身）を示す展開図解図は、図２の左半身（左身）を示す展開図解図と線対称になるため、右半身（右身）を示す展開図解図の図示は省略している。
このズボン１０の左前身頃１４Ｌのパターン４０Ｌおよび左後ろ身頃１６Ｌのパターン４２Ｌの基本線は、それぞれ、前折り線（フロント・クリーズ）４４，後ろ折線（バック・クリーズ）４６および渡り線４８，５０を含む。渡り線４８，５０から上が股上部を構成し、その下が股下部を構成する。膝線５２および５４は、身体の膝よりも高い位置となるように設定されている。
【００１９】
渡り線４８の位置で前折り線（フロント・クリーズ）４４の左右に点５６，５８をとる。点５６は内股線６０の上端となり、点５８は脇線６２が通る。点５８は、仕立てられたズボンの股下十字（左右の足の内股縫い目と尻縫い目３４が出会う股底の部位）に位置する。膝線５２の位置でも前折り線（フロント・クリーズ）４４の左右に点６４，６６をとり、膝幅としている。裾の股下線６８の位置では、所定の裾口幅を前折り線（フロント・クリーズ）４４の左右に略同寸法で振り分けて点７０，７２をとる。このように、前折り線（フロント・クリーズ）４４は、股下部の幅方向の中心となる線となっている。
【００２０】
内股線６０は、点５６，６４，７０を結ぶ線であり、点５６と点６４を結ぶ線は脇線６２側に湾曲し、点６４と点７０とを結ぶ線は、点６４近傍で上に向かって、脇線６２側にわずかに湾曲する直線で結ばれている。脇線６２は、点７４，５８，６６，７２を結ぶ線であり、線分５８−６６は、内股線６０側に湾曲し、点７２と点６６とを結ぶ線は、点６６近傍で上に向かって、脇線６２側にわずかに湾曲する直線で結ばれている。線分５６−７６は、股上部の設計により設定され、小股および前中心となるものである。線分５８−７４は、股上部の脇線６２であり、股上部の設計により設定される。
【００２１】
一方、左後ろ身頃１６Ｌのパターン４２Ｌは、膝線５４の位置で、後ろ折線（バック・クリーズ）４６の中央および左右に略同寸法に点７８，８０，８２をとる。また、裾の股下線（裾線）８２ａ，８２ｂの位置では、所定の裾口幅を後ろ折線（バック・クリーズ）４６の左右に振り分けて点８４ａ，８４ａおよび８４ｂ，８４ｂをとる。
この左後ろ身頃１６Ｌのパターン４２Ｌは、膝線５４の線分７８−８２の下側で、裾線８２ａに至る膝下部位８６ａを有する第１の後ろ身頃片２２Ｌのパターン９０Ｌと、膝線５４の線分７８−８０の下側で、裾線８２ｂに至る膝下部位８６ｂを有する第２の後ろ身頃片２４Ｌのパターン９２Ｌとを含む。２つのパターン９０Ｌおよび９２Ｌは、それぞれ、膝下部位８６ａおよび８６ｂが互いに交差するように形成されている。
【００２２】
この場合、膝線５４の点７８から上側に形成される切替えライン１８Ｌと、点７８および裾線８２ａの一方の点８４ａを結ぶ線分と、点７８および裾線８２ｂの一方の点８４ｂを結ぶ線分とが、このズボン１０の後ろ身頃１６Ｌ，１６Ｒの切替え線１８Ｌとなる接ぎラインを構成している。このズボン１０のパターン９０Ｌおよび９２Ｌにより生地を裁断し、当該接ぎラインで、パターン９０Ｌおよび９２Ｌを縫製することで、膝下部位８６ａおよび８６ｂが前屈態様となる第１の後ろ身頃片２２Ｌおよび第２の後ろ身頃片２６Ｌが形成される。同様にして、第１の後ろ身頃片２２Ｒおよび第２の後ろ身頃片２６Ｒが形成される。
【００２３】
この場合、パターン９０Ｌおよび９２Ｌの膝下部位８６ａおよび８６ｂは、図２に示すように、交差角度θ４を有するもので、この交差角度θ４を調整することによって、上記した屈曲角度θ３を適宜調整することができる。また、パターン４０Ｌにおいて、点５６を通る垂直線ｇ−ｇと、線分５６−７６の延長線ｈとの間の角度θ５を調整することによって、上記した前立て３０の前方への傾斜角度θ１を適宜調整することができる。さらに、パターン４２Ｌにおいて、点９４を通る垂直線ｉ−ｉと、点９６を通る尻縫目３４の延長線ｊとの間の角度θ６を調整することによって、上記したヒップアップ角度θ２を適宜調整することができる。
【００２４】
上記した左後ろ身頃１６Ｌの２つのパターン９０Ｌおよび９２Ｌにおいて、後ろ折線（バック・クリーズ）４６は、股下部（裾部）の幅方向の中心となる線である。
図１の（Ｂ）に示す内股線２４Ｌは、図２に示す、点９４，点８０，点８４ｂを結ぶ線であり、脇線２０Ｌは、図２に示す、点９８，点８２，点８４ａを結ぶ線である。線分９４−９６は股上部の設計により設定され、尻縫目（後中心）３４となるものである。線分９８−１００は、股上部の脇線であり、股上部の設計により設定される。
【００２５】
上記したパターン４０Ｌ，４２Ｌに基いて裁断し、縫製したズボン１０では、パターン４０Ｌの内股線６０とパターン４２Ｌの内股線２４Ｌが縫着される。パターン４２Ｌでは、点９４は渡り線５０と略同一線上に配設され、縫製する際にはパターン４０Ｌの点５６とパターン４２Ｌの点９４が出会うようにして縫着され、内股縫い目となる。パターン４０Ｌの脇線６２とパターン４２Ｌの脇線２０Ｌが縫着される。
【００２６】
２つのパターン４０Ｌ，４２Ｌの点５６，９４は、仕立てられたズボン１０の股下十字の箇所となる。ズボン１０の左右の各前身頃１４Ｌ，１４Ｒにおいて、前折り線（フロント・クリーズ）４４は、股下十字の位置における前身頃１４Ｌ，１４Ｒの幅の中心に位置する。同様に、ズボン１０の左右の各後身頃１６Ｌ，１６Ｒにおいて、後ろ折線（バック・クリーズ）４６は、股下十字の位置における後身頃１６Ｌ，１６Ｒの幅の中心に位置するものとなっている。
【００２７】
この実施の形態にかかるズボン１０は、後ろ身頃１６Ｌ，１６Ｒの膝後ろ部分を後ろ折線（バック・クリーズ）４６に沿って前屈させ、前身頃１４Ｌ，１４Ｒの膝部分が前方に出る態様とすることができる。この後ろ折線（バック・クリーズ）４６は、膝後ろ部分のズボン１０のダブツキを解消する切替えライン１８Ｌとしての機能を有するので、ズボン１０の着用者が前屈姿勢をとる際の運動が阻害されることもない。また、切替えライン１８Ｌは、後ろ身頃１６Ｌ，１６Ｒの後ろ折線（バック・クリーズ）４６に沿った部位に形成されているため、後ろ身頃１６Ｌ，１６Ｒはシャープなシルエットラインを有するものとなっている。さらに、ズボン１０では、その股上部が前傾姿勢で且つ股下部が前屈姿勢となるため、両足を肩幅に開いた状態で前傾且つ前屈の姿勢および当該基本姿勢から動作を行う運動性能が優れている。
【００２８】
また、このズボン１０は、第１の後ろ身頃片２２Ｌのパターン９０Ｌおよび第２の後ろ身頃片２６Ｌのパターン９２Ｌの膝下部位８６ａおよび８６ｂの交差角度θ４を調整することによって、適宜、膝後ろ部分を前屈させる前屈角度θ３を調整することができる。しかも、膝線５４の点７８から上側に形成される切替えライン１８Ｌと、点７８および裾線８２ａの一方の点８４ａを結ぶ線分と、点７８および裾線８２ｂの一方の点８４ｂを結ぶ線分とで構成された接ぎラインによって、パターン９０Ｌおよびパターン９２Ｌが縫着されると、当該縫着ラインは、後ろ折線（バック・クリーズ）４６を兼用する切替えライン１８Ｌとなるので、ズホン１０の膝下のシルエットがシャープな見栄えの良いものとなっている。
【００２９】
さらに、このズボン１０は、図３に示すように、身頃部１２の膝線５２，５４が、身体の膝部Ｋよりも高い位置となるようにパターン９０Ｌ，９２Ｌが形成されているため、ズボン１０の着用者が前傾姿勢で且つ前屈姿勢を行う場合、前身頃１４Ｌ，１４Ｒには膝部Ｋ周りのストレスが掛からず、膝部Ｋでの突っ張り感および引っ掛り感を解消することができる。さらに、このズボン１０では、図１および図２に示すように、前身頃１４Ｌ，１４Ｒ側に尻縫目３４が傾倒し、且つ、前立て３０および内股が前方に傾倒して形成されているので、ヒップ部３６の位置を通常よりも後ろ身頃１６Ｌ，１６Ｒで高い位置に設定することができ、身体の膝部Ｋよりも高い膝線５２，５４の位置設定との協働作用によって、ズボン１０の着用者が足長に見える視覚効果を発揮させることができる。
この場合、ズボン１０の股下部から膝線５２，５４までの長さ（高さ）Ｈは、図３に示すように、たとえば２８ｃｍ〜３２ｃｍに設定されることが好ましく、たとえば２８ｃｍ〜３０ｃｍに設定されることがさらに好ましいものとなっている。
【００３０】
なお、この実施の形態にかかるズボン１０では、たとえば図１の（Ａ），（Ｃ）および図２に示すように、身頃部１２の膝部およびその近傍に、適宜、ダーツ部１０２が配設されている。ダーツ部１０２は、切替えダーツ処理が施されることによって、ズボン１０の着用者が基本姿勢から次の運動動作に移行する際の膝部の挙動において、当該膝部の突っ張り感および引っ掛り感を解消することができる。
【符号の説明】
【００３１】
１０  ズボン
１２  身頃部
１４Ｌ，１４Ｒ  前身頃
１６Ｌ，１６Ｒ  後ろ身頃
１８Ｌ，１８Ｒ  切替えライン
２０Ｌ，２０Ｒ  脇線
２２Ｌ，２２Ｒ  第１の後ろ身頃片
２４Ｌ，２４Ｒ  内股線
２６Ｌ，２６Ｒ  第２の後ろ身頃片
２８  ウエスト部
３０  前立て
３２  内股の上端位置
３４  尻縫目
３６  ヒップ部
４０Ｌ  左前身頃のパターン
４２Ｌ  左後ろ身頃のパターン
４４  前折り線（フロント・クリーズ）
４６  後ろ折り線（バック・クリーズ）
４８，５０  渡り線
５２，５４  膝線
５６，５８，６４，６６，７０，７２，７４，７６，７８，８０，８２，８４ａ，８４ｂ，９４，９６，９８，１００  点
６０  内股線
６２  脇線
６８  股下線（裾線）
８２ａ，８２ｂ  裾の股下線（裾線）
８６ａ，８６ｂ  膝下部位
９０Ｌ  第１の後ろ身頃片のパターン
９２Ｌ  第２の後ろ身頃片のパターン
１０２  ダーツ部
θ１  前立ての傾斜角度
θ２  ヒップアップ角度
θ３  屈曲角度
θ４  交差角度
θ５，θ６  角度
Ｈ  股下部から膝線までの長さ（高さ）
【図１】
2014029041.tif 000003
【図２】
2014029041.tif 000004
【図３】
2014029041.tif 000005